(57)【要約】【課題】菓子ケーキ類等の食品や花ギフト等の雑貨を収容する紙箱において、側板の起立状態を略垂直に保持し、組み立てが容易でありながらも、解体が容易であり、紙箱に収めた収容物の形を崩したり、傷を付けたりすることなく、紙箱から収容物を容易に取り出すことを可能とする、紙箱の提供を、目的とする。【解決手段】菓子や、雑貨等を収容する紙箱において、四角形の底板５の各辺に側板６・７を連設し、当該側板６・７のうち、対向する何れか一対の側板の両側辺にコーナーフラップ９・９を連接して内面側に向かって折り曲げ、前記側板の上辺に連接した折込みフラップ８を前記コーナーフラップ９・９の上から折り重ね、前記側板の内面に貼着し、残る一対の側板の両側辺に差込フラップ１０を連接し、該差込フラップ１０を前記折込みフラップ８と前記コーナーフラップ９との間に差し込み固定して、前記全ての側板６・７を起立状態に保持することにより設けた。【選択図】図１
0003126996.tif 000002
【実用新案登録請求の範囲】
【請求項１】
菓子や、雑貨等を収容する紙箱において、四角形の底板の各辺に側板を連設し、当該側板のうち、対向する何れか一対の側板の両側辺にコーナーフラップを連接して内面側に向かって折り曲げるとともに、前記側板の上辺に連接した折込みフラップを前記コーナーフラップの上から折り重ねて、前記側板の内面に貼着し、残る一対の側板の両側辺に差込フラップを連接し、該差込フラップを前記折込みフラップと前記コーナーフラップとの間に差し込み固定して、前記全ての側板を起立状態に保持することを特徴とする、紙箱。
【考案の詳細な説明】
【技術分野】
【０００１】
本考案は、ケーキ等の菓子類や雑貨等を収容する組み立て式の紙箱に関するもので、特に、紙箱に収容した物品を持ち帰って取り出す時に、紙箱を容易に解体して物品が紙箱に触れることなく容易に取り出せる紙箱に関する。
【背景技術】
【０００２】
解体容易な組み立て式の紙箱は、通常、折り畳んだ状態で店舗へ納品されるので、かさばることがなく、広い保管場所を要さないことから、菓子類や雑貨等の収納や持ち運び、ディスプレイ等の様々な用途に広く使用されている。
しかし、組み立て式の紙箱には、容易に組み立てられ、解体後にはリサイクルが容易である反面、解体するのも容易であるため、使用している間に、紙箱の形状が崩れたり、解体してしまうという問題があった。
そこで、組み立てた紙箱が、使用中に型崩れを起こすことがなく、また、使用中容易に解体することがないよう、側板の起立状態を略垂直に保持することが求められてきた。
また、紙箱の組み立てが行われるのは、顧客の注文を聞き、その後に商品を包装する間等の、限られた時間に行われることが多いものである。したがって、紙箱を短時間で組み立てることが可能となるように、容易に組み立てることができる、組み立て式の紙箱が求められてきた。
さらに、紙箱に収めた菓子等の収容物を取り出すときに、紙箱の天板や側板に収容物がぶつかり、収容物の形状が崩れてしまうことや、収容物に傷が付くことが多いので、収容物に傷を付けることなく、形状を保持したままで、紙箱から収容物を取り出すことが求められてきた。
これらの、課題に対しては、これまでも、関連する発明が提案されている。例えば、特許文献１や、特許文献２である。
【０００３】
特許文献１が提案する紙箱は、紙箱側面に斜め折り筋が入らず、また箱底面も一枚の底板から出来ている、組み立てが簡単で、外観も綺麗な組み立て紙箱である。この発明は、側壁を繋ぐコーナーフラップを、中央側壁板とコーナーフラップ抑え板との間に挟み、コーナーフラップ抑え板に縁設する係止フラップを、底板に設けられた突起に引っ掛けることによって、紙箱を起立させるものである。しかし、この発明は、係止フラップと突起とを引っ掛けることによって、紙箱を起立させるにすぎないので、箱側面の起立を略垂直に保持することは困難であるうえ、紙箱の組み立て方が複雑であるので、短時間での組み立てが困難であるという問題を抱えている。
【０００４】
また、特許文献２が提案する、簡易組立蓋付紙製容器は、通常は運搬や保管などに便利なように偏平に折り開かれていて嵩をとらない構造であるが、紙箱本体への物品の収容、包装、運搬、出荷時には、直ちに二重側壁部及び蓋を要する蓋付きの紙箱に、容易に組み立てて使用できる紙製容器である。この発明は、側壁の両側に連設され、且つ底板の角隅部相当部より、折目線を介して対称形に二分される三角形部を、内方に折り込み、二重側壁部を折り重ねたものである。しかし、この発明は、三角形部を、折目線を介して折り合わせることから、折り合わせ部分に厚みが生じ、この厚みによって生まれる広がりが、側板の起立保持を困難にするという問題を抱えている。
【０００５】
【特許文献１】特開２００６−７６５７４号公報
【特許文献２】特開平１１−２３６０２９号公報
【考案の開示】
【考案が解決しようとする課題】
【０００６】
そこで、本考案では、側板の起立状態を略垂直に保持し、組み立てが容易でありながらも、解体が容易であり、紙箱に収めた収容物の形を崩したり、傷を付けたりすることなく、紙箱から収容物を容易に取り出すことを可能とする、紙箱の提供を、目的とするものである。
【課題を解決するための手段】
【０００７】
本考案の解決しようとする課題は以上の如くであり、次にこの課題を解決するための手段を説明する。
【０００８】
請求項１においては、菓子や、雑貨等を収容する紙箱において、四角形の底板の各辺に側板を連設し、当該側板のうち、対向する何れか一対の側板の両側辺にコーナーフラップを連接して内面側に向かって折り曲げるとともに、前記側板の上辺に連接した折込みフラップを前記コーナーフラップの上から折り重ねて、前記側板の内面に貼着し、残る一対の側板の両側辺に差込フラップを連接し、該差込フラップを前記折込みフラップと前記コーナーフラップとの間に差し込み固定して、前記全ての側板を起立状態に保持するものである。
【０００９】
本考案の効果として、以下に示すような効果を奏する。
【００１０】
請求項１においては、菓子や、雑貨等を収容する紙箱において、四角形の底板の各辺に側板を連設し、当該側板のうち、対向する何れか一対の側板の両側辺にコーナーフラップを連接して内面側に向かって折り曲げるとともに、前記側板の上辺に連接した折込みフラップを前記コーナーフラップの上から折り重ねて、前記側板の内面に貼着し、残る一対の側板の両側辺に差込フラップを連接し、該差込フラップを前記折込みフラップと前記コーナーフラップとの間に差し込み固定して、前記全ての側板を起立状態に保持することで、側板の起立状態を略垂直に保持することを可能とし、短時間での組み立てを容易としながら、解体をも容易とし、紙箱に収容された収容物の形状を維持した状態で取り出すことが可能となる。
次に、紙箱の使用の形態について、以下説明する。
【００１１】
図１は紙箱１の展開状態を示す図、図２は側板６・７を起立させる仕組みを示す図、図３は隙間１２の状態を示す図、図４は隙間１２に差込みフラップ１０を差し込んだ状態を示す図、図５はコーナーフラップ９と差込みフラップ１０の関係を説明する図、図６はコーナーフラップ９と差込みフラップ１０の別形態を示す図、図７はコーナーフラップ９と差込みフラップ１０に掛かる負荷を示す図、図８・図９は紙箱１の解体の様子を示す図、図１０・図１１は紙箱１の折り畳み状態を示す図、図１２は紙箱１の使用状態を示す図、図１３は紙箱２の組み合わせを示す図、図１４は紙箱３の展開状態を示す図、図１５は紙箱３の閉封の仕組みを示す図、図１６は紙箱４の展開状態を示す図、図１７は紙箱４の閉封の仕組みを示す図である。
【００１２】
本考案に係る紙箱１は、側板６・７の起立状態を略垂直に保持することが可能であって、組み立てや解体が容易であり、紙箱１に収めた収容物を、その形状を保持したまま、取り出すことを可能とする、組み立て式の紙箱である。
【００１３】
まず、紙箱１の構成について、図１により説明する。
紙箱１は、平厚紙やダンボール紙等の厚めの紙板材からなり、四角形の底板５に、前後一対の側板６・６と左右一対の側板７・７とを、それぞれ折目線５４を介して連接している。前記側板６・６の上側辺に、折込みフラップ８を、折目線５１を介して連設し、前記側板６・６の両側辺に、コーナーフラップ９・９を、折目線５２を介して連接している。前記側板７・７の両側辺に、差込みフラップ１０・１０を、折目線５３を介して連設している。折目線５２と折目線５３は同じ長さとしている。前記折込みフラップ８の内面の略中央部分には、接着シート１１を貼着している。
ここで、コーナーフラップ９と差込みフラップ１０とは、切れ目線５０を挟んで、隣接している。言い換えれば、切れ目線５０は底板５の頂部からコーナーフラップ９と差込みフラップ１０の間に折目線５４（５２・５３）に対して４５度の方向に切込みが設けられている。
なお、上側辺とは、紙箱１の組み立て時において、底板５を下側と設定した場合の、底板５と対峙する各辺を意味する。また、側辺とは、紙箱１の組み立て時において、底板５と上下方向に垂直の関係にある各辺を意味する。
【００１４】
次に、紙箱１における、側板６・７の起立の仕組み（組み立て方法）について図２、図３、図４により説明する。
まず、図２（１）に示すように、コーナーフラップ９・９を、側板６の内側に向かって、折目線５２に沿って折り曲げる。
次に、図２（２）に示すように、折込みフラップ８を、前記側板６の内側方向に向かって、折目線５１に沿って折り曲げ、接着シート１１によって、前記折込みフラップ８を、前記側板６の内側に貼着する。
すると、前記コーナーフラップ９は、前記側板６と前記折込みフラップ８との間に、挟まれる状態となり、前記コーナーフラップ９と、前記折込みフラップ８の左右両端部との間には、図３に示すように、隙間１２が生じる。
次に、図２（３）に示すように差込みフラップ１０を、側板７の内側に向かって、折目線５３に沿って折り曲げる。
次に、側板７を、底板５に向かって、折目線５４に沿って折り曲げる。
そして、前記隙間１２に、差込みフラップ１０を差し込むことによって、差込みフラップ１０は、図４に示すように、コーナーフラップ９と折込みフラップ８との間に挟まれた状態となる。すると、差込みフラップ１０とコーナーフラップ９とが接する面と、差込みフラップ１０と折込みフラップ８とが接する面との間には摩擦力が生じ、かつ、折込みフラップ８は側板６の内側に貼着されているので、矢印６０の方向に押圧力が掛かり、その結果、差込みフラップ１０が折込みフラップ８とコーナーフラップ９に挟まれて固定され、紙箱１の組み立てが完了する。
【００１５】
ここで、コーナーフラップ９と、差込みフラップ１０の形状や位置関係について、図５により説明する。なお、図５に示す矢印Ｌ1は、折込みフラップ８において接着シート１１が貼着されていない部分の幅を指し、矢印Ｌ２はコーナーフラップ９の幅を指し、矢印Ｌ３は差込みフラップ１０の幅を指すものとする。
ここで、Ｌ２は側板６の横幅を超えない限り特に限定されるものではない。一方、Ｌ３は、Ｌ１の長さを越えることはできない（Ｌ３はＬ１より短い）。Ｌ３がＬ１を越えた場合、差込みフラップ１０は接着部分にぶつかり、隙間１２に収まりきらず、紙箱の外側にはみ出した状態となる。その結果、側板６・７を略垂直に起立させることはできなくなるからである。
また、Ｌ２はＬ３よりも長いか、または略同じであることが望ましい。コーナーフラップ９と差込みフラップ１０とが接する面積が大きいほど、差込みフラップ１０とコーナーフラップ９とが接する面と、差込みフラップ１０と折込みフラップ８とが接する面との間に生じる摩擦力が大きくなり、側板６・７の起立状態の保持力も大きくなるからである。
また、コーナーフラップ９と差込みフラップ１０の形状や連設位置は、図５に示す形状や連設位置に限定されるものではない。また、図６に示すように、コーナーフラップ９’や差込みフラップ１０’の如く、高さを短く形成することも可能である。
つまり、折込みフラップ８とコーナーフラップ９とが切目線５０を挟んで連接することなく別体となっており、かつ、折込みフラップ８とコーナーフラップ９との間に、隙間１２を作ることができ、前記隙間１２に差込みフラップ１０を差し込んで固定することができる、形状と連設位置とを備えていればよいのである。
【００１６】
次に、側板６・７の起立保持の構造について、図７により説明する。
紙箱１の素材は厚手の紙材であり、弾性を有することから、折り曲げたコーナーフラップ９にはスプリングバックの如く、折り曲げた方向とは逆の方向（Ｙ方向）、つまり紙箱１の外側方向に向かって広がろうとする力が掛かる。一方、折込みフラップ８は接着シート１１により側板６に貼着されているので広がることはできず、コーナーフラップ９は折込みフラップ８に密着する方向に力がかかることになる。つまり、このコーナーフラップ９と折込みフラップ８の間には差込みフラップ１０を挟持する力が働くことになる。また、差込みフラップ１０もＸ方向に開こうとする力が働くため、組み立てたときには、差込みフラップ１０とコーナーフラップ９は互いに反対方向に開く力がかかり、圧接力が働き摩擦抵抗が大きくなり、側板７は起立保持力が大きく働く状態となっている。
【００１７】
更に、差込みフラップ１０をコーナーフラップ９と折込みフラップ８の間に差し込んだときに、差込みフラップ１０の上辺１０ａは折目線５１に強く接することとなり、抜け難い状態となる。
【００１８】
こうして紙箱１の組み立ては、各フラップと側板６・７を各折目線に沿って折り曲げ、隙間１２に差込みフラップ１０を差し込み、固定することで完了する。
したがって、複雑な組み立て手段をとることなく、折り曲げと差し込みという簡単な２種類の手段で、かつ、短時間で紙箱１を組み立てることが可能となるのである。
【００１９】
次に、組み立てた紙箱１の解体について図８、図９により説明する。なお、図８に示すＡ、Ｂ方向の矢印は、各々、側板６・７を引っ張る方向を示している。
図８に示すように、側板６・６をＡ方向に、又は側板７・７をＢ方向に向かって引っ張ると、差込みフラップ１０は隙間１２に固定されていた状態から簡単に外れるものである。その結果、側板６・７は折り曲げた方向とは逆の方向、つまり紙箱１の外側方向に大きく広がり、紙箱１は解体し、図９に示すように組み立て前の広がった状態に戻るものとなる。
したがって、紙箱１は、組み立てが容易で、側板６・７の起立状態を略垂直に保持しうると同時に、側板６・７のいずれかを外側方向に向かって引っ張ることによって、容易に紙箱１を解体することが可能となる。
また、解体後の紙箱１は、図１０に示すように折り畳み、さらに図１１に示すようにコンパクトに折り畳むことが可能である。なお、図１０に示す矢印は、紙箱を折り畳む方向を示している。
【００２０】
この様に、本考案の紙箱１は、容易に組み立てや解体を行えるうえに、コンパクトに折り畳むことが可能であり、広い保管場所も不要であることから、一度使用した紙箱１を折り畳み、保管したうえで、再使用することが容易になる。さらに、紙箱１の再使用を促進することは、地球資源の保護につながるという点においても、有益な効果をもたらすものである。
【００２１】
さらに、紙箱１を解体し、側板６・７を外側に大きく広げることによって、紙箱１に収めた菓子等の収容物を傷つけることなく、紙箱１内から収容物を取り出すことが可能となる。
図１２に示すように、解体時には側板６・７が外側に広がっているので、収容物である菓子２０を取り出す時に、菓子２０が側板６・７の内面に当たり、その結果菓子２０の形状が崩れることを、防ぐことが可能となる。
殊に、図１２に示すような、ホールタイプの菓子２０は、菓子２０を紙箱１から取り出して切り分けることが困難であるが、本考案の紙箱１であれば、菓子２０を紙箱１から取り出す必要はなく、紙箱１を解体した状態で菓子２０を切り分け、皿等に容易に移すことが可能である。
【００２２】
次に、本考案に係る側板６・７の起立保持構造を備えた紙箱１の実施例について説明する。
まず、図１３に示すように、紙箱１を二つ組み立て、一つを紙箱本体２ｂとし、一つを蓋体２ａとし、図１３に示すように、開口部を上側に向けた本体２ｂの上方から、開口部を下側に向けた蓋体２ａを図１３に示す矢印の方向に向かって下ろすことで、本体２ｂに蓋をし、紙箱本体２ｂと蓋体２ａとが別体である、紙箱２を形成することが可能である。
なお、図１３に示す紙箱は、蓋体２ａが紙箱本体２ｂの全体を覆う形状であるが、側板６・７の上下方向の長さを短く形成することによって、紙箱本体２ｂの上方のみを覆う形状とすることも可能である。
【００２３】
次に、本体と蓋とを一体とする、蓋付きの紙箱３の実施例について、図１４、図１５により説明する。
図１４に示すように、紙箱３は、一対の側板７・７のうち、何れか一方の側板７の上辺に、折目線５５を介して天板３１を連接し、当該天板３１の上辺に、折目線５６を介して折曲げフラップ３２を連接し、当該折曲げフラップ３２の略中央に、係止片３３を備え、前記側板６・７のうち、残りの一対の側板６・６に係止孔３４を形成したものである。
紙箱３は、コーナーフラップ９を側板６の内面に向かって折り曲げ、次に折込みフラップ８を側板６の内面に向かって折り曲げて側板６の内面に、接着シート１１によって貼り付け、前記コーナーフラップ９と前記側板６との間に隙間１２を作り、当該隙間１２に差込みフラップ１０を差し込んで固定することで、側板６・７の起立状態を略垂直に保持する。次に、図１５に示すように、天板３１を底板５の方向に、折曲線５５に沿って折り曲げ、次に、折曲げフラップ３２を底板５の方向に、折曲線５６に沿って折り曲げ、係止片３３を係止孔３４に差し込んで係止することで、紙箱３の閉蓋が可能となる。
【００２４】
次に、持ち手付きの紙箱４の実施例について、図１６、図１７により説明する。
図１６に示すように、紙箱４は、一対の側板７・７のうち、何れか一方の側板７の上辺に、折目線５５を介して天板３１’を連設し、当該天板３１’の上辺に、折目線５６を介して差込み片用フラップ４１を連接し、当該差込み片用フラップ４１の両側に、差込み片４２・４２を折目線５７を介して連設している。前記天板３１’の略中央には、一対の持ち手４３が切り込まれている。
紙箱４を組み立てるには、コーナーフラップ９を側板６の内面方向に折り曲げ、次に折込みフラップ８を側板６の内面方向に折り曲げて、側板６の内面に接着シート１１により貼り付け、前記コーナーフラップ９と前記側板６との間に隙間１２を作り、当該隙間１２に差込みフラップ１０を差し込んで固定することで、側板６・７の起立状態を略垂直に保持する。次に、図１７に示すように、天板３１’を底板５の方向に、折目線５５に沿って折り曲げ、次に、差込み片用フラップ４１を底板５の方向に、折目線５６に沿って折り曲げ、差込み片４２を差込み片用フラップ４１の内面方向２、折目線５７に沿って折り曲げ、差込み片４２を、差込み片用フラップ４１とコーナーフラップ９との間に差し込み、固定することによって、紙箱４の閉蓋が可能となる。そして、切込みによって形成されている持ち手４３を、上側に向かって折り曲げることで、持ち手４３の使用が可能となる。持ち手４３を上側に折り曲げた場合、切込み部分に穴があくので、天板３１’の裏面にプラスチックシートや、保冷材等を収納するポケット等を貼着し、埃等の浸入を防ぐことが必要となる。
なお、持ち手４３は、切込みよる形成に限定するものではなく、天板３１’に持ち手４３を貼着することも可能である。
【図面の簡単な説明】
【００２５】
【図１】紙箱１の展開状態を示す図。
【図２】側板６・７を起立させる仕組みを示す図。
【図３】隙間１２の状態を示す図。
【図４】隙間１２に差込みフラップ１０を差し込んだ状態を示す図。
【図５】コーナーフラップ９と差込みフラップ１０の関係を説明する図。
【図６】コーナーフラップ９と差込みフラップ１０の別形態を示す図。
【図７】コーナーフラップ９と差込みフラップ１０に掛かる負荷を示す図。
【図８】紙箱１の解体の様子を示す図。
【図９】紙箱１の解体の様子を示す図。
【図１０】紙箱１の折り畳み状態を示す図。
【図１１】紙箱１の折り畳み状態を示す図。
【図１２】紙箱１の使用状態を示す図。
【図１３】紙箱２の組み合わせを示す図。
【図１４】紙箱３の展開状態を示す図。
【図１５】紙箱３の閉封の仕組みを示す図。
【図１６】紙箱４の展開状態を示す図。
【図１７】紙箱４の閉封の仕組みを示す図。
【符号の説明】
【００２６】
１、２、３、４    紙箱
５    底板
６、７    側板
８    折込みフラップ
９    コーナーフラップ
１０    差し込みフラップ
１１    接着シート
２０    菓子
３２    折曲げフラップ
３３    係止片
３４    係止孔
【図１】
0003126996.tif 000003
【図２】
0003126996.tif 000004
【図３】
0003126996.tif 000005
【図４】
0003126996.tif 000006
【図５】
0003126996.tif 000007
【図６】
0003126996.tif 000008
【図７】
0003126996.tif 000009
【図８】
0003126996.tif 000010
【図９】
0003126996.tif 000011
【図１１】
0003126996.tif 000012
【図１２】
0003126996.tif 000013
【図１３】
0003126996.tif 000014
【図１５】
0003126996.tif 000015
【図１６】
0003126996.tif 000016
【図１７】
0003126996.tif 000017
【図１０】
0003126996.tif 000018
【図１４】
0003126996.tif 000019